(57)【要約】  圧力変換器取付装置は、支持部材と、圧力変換器保持器とを具備しうる。使用時において、支持部材は、動力式注入装置のハウジング等の支持面に取り付けられ、圧力変換器保持器は、支持部材に可動に接続されうる。圧力変換器保持器は、複数の異なる寸法の圧力変換器の中の１つを収容するように拡張して開き更に複数の異なる寸法の圧力変換器の中の収容された１つを保持するように付勢されて閉じるように形成されうる。さらに、圧力変換器保持器は、支持部材に対して、複数の異なる垂直方向の上昇位置の中の１つまで移動するように形成されうる。圧力変換器取付装置は、異なる圧力変換器を収容して、異なる医療提供者の好み及び異なる圧力変換器の調達選択肢に適応可能である、万能型取付装置を提供しうる。【選択図】図２
2015521279.tif 000002
【特許請求の範囲】
【請求項１】
圧力変換器取付装置において、
支持面に取り付けられるように形成された、支持部材と、
前記支持部材に可動に接続する、圧力変換器保持器と、を具備する、圧力変換器取付装置において、
前記圧力変換器保持器は、複数の異なる寸法の圧力変換器の中の１つを収容するように拡張して開き更に複数の異なる寸法の圧力変換器の中の収容された１つを保持するように付勢されて閉じるように形成されており、
前記圧力変換器保持器は、前記支持部材に対して、複数の異なる垂直方向の上昇位置の中の１つまで移動するように形成される、ことを特徴とする圧力変換器取付装置。
【請求項２】
前記支持面は、動力式注入装置のハウジングである、ことを特徴とする請求項１に記載の圧力変換器取付装置。
【請求項３】
前記圧力変換器保持器は、第１アームと第２アームとを具備しており、
前記第１アームは、複数の異なる寸法の圧力変換器の中の１つを収容するために拡張して開くように、前記第２アームに対して移動するように形成される、ことを特徴とする請求項１に記載の圧力変換器取付装置。
【請求項４】
前記圧力変換器保持器は、前記第１アームから伸長する、第１圧力変換器係合面と、前記第２アームから伸長する、第２圧力変換器係合面と、を更に具備しており、
前記第１圧力変換器係合面と前記第２圧力変換器係合面は、前記複数の異なる寸法の圧力変換器の中の前記収容された１つの、対向する側部に係合するように形成された、対向する溝を形成する、ことを特徴とする請求項３に記載の圧力変換器取付装置。
【請求項５】
前記第１圧力変換器係合面と前記第２圧力変換器係合面は、互いから第１距離で離間する、第１対の対向する溝と、互いから第２距離で離間する、第２対の対向する溝と、を形成しており、
より大きな圧力変換器が、前記第２対の対向する溝よりも前記第１対の対向する溝の間で係合可能であるように、前記第１距離は、前記第２距離より大きい、ことを特徴とする請求項４に記載の圧力変換器取付装置。
【請求項６】
前記第１距離は、約12.7mm(約0.5インチ)〜約31.75mm(約1.25インチ)の範囲にあり、前記第２距離は、約31.75mm(約1.25インチ)〜約50.8mm(約2インチ)の範囲にある、ことを特徴とする請求項５に記載の圧力変換器取付装置。
【請求項７】
前記圧力変換器保持器は、第１圧力変換器保持器を具備しており、更に共通軸の周りで前記第１圧力変換器保持器から円周方向に離間する、第２圧力変換器保持器を更に具備しており、
前記共通軸には、前記第１圧力変換器保持器と前記第２圧力変換器保持器の両方が取り付けられる、ことを特徴とする請求項１に記載の圧力変換器取付装置。
【請求項８】
前記第１圧力変換器保持器は、第１平面において第１圧力変換器を保持するように形成されており、
前記第２圧力変換器保持器は、前記第１平面とは異なる、第２平面において第２圧力変換器を保持するように形成される、ことを特徴とする請求項７に記載の圧力変換器取付装置。
【請求項９】
前記第２圧力変換器保持器は、圧力変換器の下唇部を収容するように形成される、溝と、前記圧力変換器の上唇部に係合するように形成される、固定部材と、を形成して、前記溝と前記固定部材との間に前記圧力変換器を固定する、ことを特徴とする請求項７に記載の圧力変換器取付装置。
【請求項１０】
前記圧力変換器保持器は、延長シャフトを具備しており、
前記支持部材は、開口を具備しており、
前記圧力変換器保持器は、前記延長シャフトの遠位部分を、前記開口を介して挿入し更に前記開口を形成する壁に対して前記延長シャフトを締め付けることにより、前記支持部材に可動に接続する、ことを特徴とする請求項１に記載の圧力変換器取付装置。
【請求項１１】
前記圧力変換器保持器に接続する、圧力均等化弁保持器を更に具備するので、前記圧力均等化弁保持器は、前記圧力変換器保持器と実質的に同一水平面内に配置されており、
前記圧力均等化弁保持器は、前記圧力変換器を較正するための弁であって、複数の異なる寸法の圧力変換器の中の前記収容された１つと流体連絡する、弁を収容するように形成される、ことを特徴とする請求項１に記載の圧力変換器取付装置。
【請求項１２】
前記圧力変換器保持器を介して接続する、レーザレベリング装置を更に具備する、ことを特徴とする請求項１に記載の圧力変換器取付装置。
【請求項１３】
電力源により駆動されるように形成された、注射器と、前記注射器と流体連絡する、少なくとも１つの流体容器と、前記少なくとも１つの流体容器から患者ラインに流体を供給するように形成された、配管システムと、を具備する、動力式注入装置と、
患者の身体の血行力学的圧力を監視するように形成された、選択された圧力変換器であって、前記動力式注入装置の動作中に前記患者と流体連絡するように形成される、選択された圧力変換器と、
前記動力式注入装置に取り付けられる、支持部材と、前記支持部材に可動に接続する、圧力変換器保持器と、を具備する、圧力変換器取付装置と、を具備する、システムにおいて、
前記圧力変換器保持器は、複数の異なる寸法の圧力変換器の中の１つを収容するように拡張して開き更に前記選択された圧力変換器を保持するように付勢されて閉じるように形成されており、
前記圧力変換器保持器は、前記支持部材に対して、複数の異なる垂直方向の上昇位置の中の１つまで移動するように形成される、ことを特徴とするシステム。
【請求項１４】
前記圧力変換器保持器は、第１アームと第２アームとを具備しており、
前記第１アームは、前記選択された圧力変換器を収容するために拡張して開くように、前記第２アームに対して移動するように形成される、ことを特徴とする請求項１３に記載のシステム。
【請求項１５】
前記圧力変換器保持器は、前記第１アームから伸長する、第１圧力変換器係合面と、前記第２アームから伸長する、第２圧力変換器係合面と、を更に具備しており、
前記第１圧力変換器係合面と前記第２圧力変換器係合面は、前記選択された圧力変換器の対向する側部に係合するように形成された、対向する溝を形成する、ことを特徴とする請求項１４に記載のシステム。
【請求項１６】
前記第１圧力変換器係合面と前記第２圧力変換器係合面は、互いから第１距離で離間する、第１対の対向する溝と、互いから第２距離で離間する、第２対の対向する溝と、を形成しており、
より大きな圧力変換器が、前記第２対の対向する溝よりも前記第１対の対向する溝の間で係合可能であるように、前記第１距離は、前記第２距離より大きい、ことを特徴とする請求項１５に記載のシステム。
【請求項１７】
前記圧力変換器保持器は、第１圧力変換器保持器を具備しており、更に共通軸の周りで、前記第１圧力変換器保持器から円周方向に離間する、第２圧力変換器保持器を更に具備しており、
前記共通軸には、前記第１圧力変換器保持器と前記第２圧力変換器保持器の両方が取り付けられる、ことを特徴とする請求項１３に記載のシステム。
【請求項１８】
前記第２圧力変換器保持器は、圧力変換器の下唇部を収容するように形成される、溝と、前記圧力変換器の上唇部に係合するように形成される、固定部材と、を形成して、前記溝と前記固定部材との間に前記圧力変換器を固定する、ことを特徴とする請求項１７に記載のシステム。
【請求項１９】
前記圧力変換器保持器は、延長シャフトを具備しており、
前記支持部材は、開口を具備しており、
前記圧力変換器保持器は、前記延長シャフトの遠位部分を、前記開口を介して挿入し更に前記開口を形成する壁に対して前記延長シャフトを締め付けることにより、前記支持部材に可動に接続する、ことを特徴とする請求項１３に記載のシステム。
【請求項２０】
支持部材に可動に接続する、圧力変換器取付装置の圧力変換器保持器を、複数の異なる寸法の圧力変換器の中の１つを収容するように拡張して開く段階と、
前記複数の異なる寸法の圧力変換器の中の収容された１つを保持するように前記圧力変換器を付勢して閉じる段階と、を具備する方法において、
前記圧力変換器保持器は、前記支持部材に対して、複数の異なる垂直方向の上昇位置の中の１つまで移動するように形成される、ことを特徴とする方法。
【請求項２１】
前記支持部材を支持面に取り付ける段階を更に具備する、ことを特徴とする請求項２０に記載の方法。
【請求項２２】
前記圧力変換器保持器は、第１アームと第２アームとを具備しており、
前記圧力変換器保持器を拡張する段階は、前記第１アームを前記第２アームに対して移動する段階を具備する、ことを特徴とする請求項２０に記載の方法。
【請求項２３】
前記圧力変換器保持器は、前記第１アームから伸長する、第１圧力変換器係合面と、前記第２アームから伸長する、第２圧力変換器係合面と、を更に具備しており、
前記第１圧力変換器係合面と前記第２圧力変換器係合面は、前記複数の異なる寸法の圧力変換器の中の前記収容された１つの、対向する側部に係合するように形成された、対向する溝を形成する、ことを特徴とする請求項２２に記載の方法。
【請求項２４】
前記第１圧力変換器係合面と前記第２圧力変換器係合面は、互いから第１距離で離間する、第１対の対向する溝と、互いから第２距離で離間する、第２対の対向する溝と、を形成しており、
より大きな圧力変換器が、前記第２対の対向する溝よりも前記第１対の対向する溝の間で係合可能であるように、前記第１距離は、前記第２距離より大きい、ことを特徴とする請求項２３に記載の方法。
【請求項２５】
前記圧力変換器保持器は、第１圧力変換器保持器を具備しており、更に共通軸の周りで前記第１圧力変換器保持器から円周方向に離間する、第２圧力変換器保持器を更に具備しており、
前記共通軸には、前記第１圧力変換器保持器と前記第２圧力変換器保持器の両方が取り付けられる、ことを特徴とする請求項２０に記載の方法。
【請求項２６】
前記第２圧力変換器保持器は、圧力変換器の下唇部を収容するように形成される、溝と、前記圧力変換器の上唇部に係合するように形成される、固定部材と、を形成して、前記溝と前記固定部材との間に前記圧力変換器を固定する、ことを特徴とする請求項２５に記載の方法。
【請求項２７】
前記圧力変換器保持器は、延長シャフトを具備しており、
前記支持部材は、開口を具備しており、更に、
前記方法は、
前記延長シャフトの遠位部分を前記開口を介して挿入する段階と、
前記開口を形成する壁に対して前記延長シャフトを締め付けて、前記支持部材に前記圧力変換器保持器を可動に接続する段階と、を更に具備する、ことを特徴とする請求項２０に記載の方法。
【請求項２８】
前記方法は、前記複数の段階異なる寸法の圧力変換器の中の前記収容された１つと流体連絡する、弁を、前記圧力変換器保持器に接続する、圧力均等化弁保持器内に挿入する段階を更に具備しており、
前記圧力均等化弁保持器は、前記圧力変換器保持器と実質的に同一水平面内に配置されており、
前記方法は、前記圧力均等化弁保持器が、前記複数の異なる寸法の圧力変換器の中の前記収容された１つを較正するように前記弁を開く、段階を具備することを特徴とする請求項２０に記載の方法。
【請求項２９】
支持面に取り付けるための手段と、
複数の異なる寸法の圧力変換器の中の１つを収容し保持するための手段であって、前記収容し保持するための手段は、前記複数の異なる寸法の圧力変換器の各々を収容し保持するように形成される、手段と、を具備する、圧力変換器取付装置において、
前記収容し保持するための手段は、前記取り付けるための手段に可動に接続しており、
前記収容し保持するための手段は、前記取り付けるための手段に対して、複数の異なる垂直方向の上昇位置の中の１つまで移動するように形成される、ことを特徴とする圧力変換器取付装置。
【請求項３０】
前記収容し保持するための手段は、第１の収容し保持するための手段と、第２の収容し保持するための手段と、を具備しており、
前記第１の収容し保持するための手段は、概略平坦な裏当板に搭載される、第１圧力変換器を収容し保持するように形成されており、
前記第２の収容し保持するための手段は、取付上唇部と取付下唇部とを形成する、取付突起を有する、第２圧力変換器を収容し保持するように形成される、ことを特徴とする請求項２９に記載の圧力変換器取付装置。
【発明の詳細な説明】
【技術分野】
【０００１】
本発明は、医療用圧力変換器に関し、より特別には、医療用圧力変換器取付装置に関する。
【背景技術】
【０００２】
圧力変換器は、異なる様々な用途のために、異なる様々な業界において使用される。医療産業では、例えば、圧力変換器は、医療処置の前、最中及び後に体液の圧力を監視するために使用される。血圧等の体液の圧力に関する情報は、医療提供者が患者の状態を診断することを支援可能である。幾つかの用途において、医療提供者はまた、治療的処置又は患者に投与される、診断薬を調整するために体液の圧力情報を使用可能である。
【０００３】
血管造影は、患者の血圧を監視しながら一般的に行われる、医療処置の一種である。血管造影は、例えば、心臓の血管における異常又は制約等を含む、心臓血管状態の診断及び治療を支援するために使用される、処置方法である。血管造影中に、Ｘ線撮影造影剤は、静脈又は動脈内にカテーテルを介して注入され、その後、静脈又は動脈と流体連絡する、血管構造まで通過する。造影剤が注入される、身体の領域をＸ線が通過する時に、Ｘ線は、一つ以上の所望の血管構造のＸ線画像を提供するように造影剤により吸収されうる。
【０００４】
血管造影等の医療処置中に患者の血圧を監視するために、患者は、患者の身体の外側に位置する、圧力変換器に接続されうる。例えば、圧力変換器は、患者の体内に導入された、カテーテルを介して患者の循環系に水圧的に結合されうる。カテーテルは、患者の身体の外側に位置する、圧力変換器に患者の体内からの圧力を水圧的に連絡してもよく、圧力変換器は、その後、水圧力を、解析、表示、保存等のために、電気信号に変換しうる。
【０００５】
圧力変換器が、医療処置中に患者の身体の一部に対して適切に配向され且つ位置決めされることを保証することは、圧力変換器が正確な圧力測定値を提供することを保証することを支援しうる。例えば、患者が、血管造影処置を受ける時に、圧力変換器は、患者の心臓と同一水平面内に配置されうる。もし圧力変換器が患者の心臓を含む、水平面に比べてより高く又はより低く位置決めされる場合に、圧力変換器を患者の体に水圧的に接続する、流体の柱の重量は、圧力変換器が所望の垂直位置にある時に比べて、増加又は低下しうる。順に、この追加の流体重量は、圧力変換器により決定される、血圧の精度に影響を与える可能性がある。
【０００６】
医療処置室は、患者の体に対して圧力変換器を保持し且つ位置決めするための恒久的な固定具を含みうる一方で、異なる寸法の患者は、異なる圧力変換器の位置を指示しうる。更に、医師等の医療従事者はしばしば、彼らが医療処置を実施する時に使用することを望む、特定のハードウェアを選定する、大きな裁量を有する場合がある。異なる医療提供者が共通の医療処置空間を共有する場合において、各医療提供者は、処理を実施する時に異なる型式又は銘柄の圧力変換器を使用しうる。
【先行技術文献】
【特許文献】
【０００７】
（原文に記載なし）
【発明の概要】
【０００８】
一般的に、本開示は、医療処置の前、最中及び／又は後に、圧力変換器が患者の体液の圧力を決定するように使用可能であるように、圧力変換器を搭載するための装置及び技術を対象とする。本明細書に記載の幾つかの例において、圧力変換器取付装置は、複数の異なる型式の圧力変換器を収容し、保持するように形成される。例えば、圧力変換器取付装置は、複数の異なる圧力変換器の中の１つを収容するように、１つの方向（例えば、開又は閉）において拡張し更に圧力変換器保持器に挿入された特定の圧力変換器を保持するように反対の方向（例えば、閉又は開）において付勢する、圧力変換器保持器を具備してもよく、その場合に、前記複数の異なる圧力変換器の各々は、異なる寸法、形状及び／又は接続形態を有する。別の例において、圧力変換器取付装置は、異なる接続形態を有する、異なる型式の圧力変換器を収容し保持するように各々が設計された、少なくとも２つの異なる圧力変換器保持器を具備する。使用において、医療提供者は、複数の異なる圧力変換器の設計の中の１つから、医療処置中に使用するために特定の圧力変換器を選択可能である（例えば、それは、異なる圧力変換器製造所から供給されうる）。異なる圧力変換器の設計は、圧力変換器保持器とインターフェイス接続するために、異なる寸法、形状及び／又は異なる取付構造を有しうる。しかし、異なる型式の圧力変換器を収容するように圧力変換器取付装置を形成することにより、医療提供者は、特定の圧力変換器の設計（例えば、圧力変換器の特定の取付インターフェイス構造の設計）にかかわらず、選択された圧力変換器を圧力変換器保持器に挿入しうる。このように、圧力変換器取付装置は、異なる圧力変換器を収容して、異なる医療提供者の好み及び異なる圧力変換器の調達選択肢に適応可能である、万能型取付装置を提供しうる。
【０００９】
用途に応じて、圧力変換器取付装置は、医療処置空間内（例えば、カテーテル・ラボ）の表面に接続可能である、固定部分と、固定部分に対して可動である、可動部分と、を具備しうる。可動部分は、多様な異なる設計を有する、圧力変換器を収容し、保持するように形成された、１つ以上の圧力変換器保持器を具備しうる。圧力変換器取付装置の可動部分は、異なる垂直方向の上昇位置に選択的に移動可能としうる。使用において、医療提供者は、可動部分を、及び従って、可動部分に接続された圧力変換器を、異なる垂直方向位置に移動させうる。これは、例えば、医療提供者が、患者の特定な解剖学的目標に対して圧力変換器を位置決めすることを望む場合に、有用となりうる。
【００１０】
一例において、圧力変換器取付装置は、支持面に取り付けられるように形成された、支持部材と、支持部材に可動に接続する、圧力変換器保持器と、を具備するように記載される。例に従って、圧力変換器保持器は、複数の異なる寸法の圧力変換器の中の１つを収容するように拡張して開き更に複数の異なる寸法の圧力変換器の中の収容された１つを保持するように付勢されて閉じるように形成される。更に、例は、圧力変換器保持器が、支持部材に対して、複数の異なる垂直方向の上昇位置の中の１つまで移動するように形成されることを規定する。
【００１１】
別の例において、システムは、動力式注入装置と、選択された圧力変換器と、圧力変換器取付装置と、を具備するように記載される。動力式注入装置は、電力源により駆動されるように形成される、注射器と、注射器と流体連絡する、少なくとも１つの流体容器と、少なくとも１つの流体容器から患者ラインに流体を供給するように形成された、配管システムと、を具備する。選択された圧力変換器は、患者の身体の血行力学的圧力を監視するように形成され、更に動力式注入装置の動作中に、患者と流体連絡するようにも形成される。例によれば、圧力変換器取付装置は、動力式注入装置に取り付けられた、支持部材と、支持部材に可動に接続する、圧力変換器保持器を具備する。圧力変換器保持器は、複数の異なる寸法の圧力変換器の中の１つを収容するように拡張して開き、選択された圧力変換器を保持するように付勢して閉じるように形成される。また、例は、圧力変換器保持器が支持部材に対して、複数の異なる垂直方向の上昇位置の中の１つまで移動するように形成されることを規定する。
【００１２】
別の例において、圧力変換器取付装置の支持部材を支持面に取り付ける段階を具備する、方法が記載される。この方法はまた、支持部材に可動に接続された、圧力変換器保持器を、複数の異なる寸法の圧力変換器の中の１つを収容するように拡張して開く段階と、複数の異なる寸法の圧力変換器の中の収容された１つを保持するように圧力変換器を付勢して閉じる段階と、を具備する。別の例によれば、圧力変換器保持器は、支持部材に対して、複数の異なる垂直方向の上昇位置の中の１つに移動するように形成される。
【００１３】
別の例において、圧力変換器取付装置は、支持面に取り付けるための手段と、複数の異なる寸法の圧力変換器の中の１つを収容し保持するための手段と、を具備しており、収容し保持するための手段は、異なる寸法の圧力変換器の各々を収容し保持するように形成される。例によれば、収容し保持するための手段は、取り付けるための手段に可動に接続しており、収容し保持するための手段は、取り付けるための手段に対して、複数の異なる垂直方向の上昇位置の中の１つまで移動するように形成される。
【００１４】
１つ以上の例の詳細は、添付図面及び以下の記述に記載される。別の特徴、目的及び利点は、記述と図面、及び特許請求の範囲から明らかになるであろう。
【図面の簡単な説明】
【００１５】
【図１】図１は、圧力変換器と圧力変換器取付装置と共に使用しうる、例示の動力式注入システムの斜視図である。
【図２】図２は、例示の圧力変換器取付装置の図である。
【図３】図３は、例示の圧力変換器取付装置の図である。
【図４】図４は、図２及び３の圧力変換器取付装置と共に使用しうる、圧力変換器保持器の形態例を示す、展開前面図である。
【図５】図５は、図２及び３の圧力変換器取付装置と共に使用しうる、圧力変換器保持器の形態例を示す、展開後面図である。
【図６】図６は、図４及び５の例示の圧力変換器保持器により収容され、保持されうる、例示の圧力変換器の図である。
【図７】図７は、図２及び３の圧力変換器取付装置と共に使用されうる、別の例示の圧力変換器保持器の図である。
【図８】図８は、図７の例示の圧力変換器保持器により収容され、保持されうる、例示の圧力変換器の図である。
【図９】図９は、図２及び３の圧力変換器取付装置と共に使用されうる、例示のレーザレベリング装置の図である。
【図１０】図１０は、例示の圧力変換器取付装置に接続された、図７の例示のレーザレベリング装置を示す図である。
【発明を実施するための形態】
【００１６】
以下の詳細な説明は、本質的に例示であり、決して本発明の範囲、適用性又は形態を限定することが意図されるものではない。むしろ、以下の説明は、本発明の例示的な実施の形態を実施するための実用的な説明図を提供する。構造、材料、寸法及び製造方法の例が、選択された要素のために提供されてもよく、更に別の全ての要素は、当業者に既知であるものを使用する。当業者は、提供される多数の例が、利用可能である、適切な代替物を有することを認識する。
【００１７】
侵襲的血行力学的圧力監視は、患者の状態の継続的な評価、及び進行中の治療又は診断解析への彼らの反応の継続的な評価を提供可能である。侵襲性血行力学的圧力監視は、患者の動脈内血圧、患者の肺動脈圧、左心房圧及び/又は中心静脈圧についての情報を得ることができる。この情報はその後、問題事項の診断又は患者に実施される進行中の処置の調整を支援するために医療提供者により使用可能である。例えば、患者の血管系に影響を与える、患者への薬物又は薬剤を投与する際に、医療提供者はしばしば、患者の動脈内血圧を監視することを望む。
【００１８】
患者の血行力学的圧力を監視するために、患者はカテーテルを挿入されてもよく、そのカテーテルはその後、患者の身体の外側に位置する、医療圧力変換器に管を介して結合される。管は、患者の身体内からの圧力を身体の外側に位置する変換器に水圧的に連絡するように、流体（例えば、生理食塩水、血液）で充填されうる。形態に依存して、圧力変換器は液圧を、分析、表示、格納又は別に処理可能である、電気信号に変換しうる。
【００１９】
長時間、多くの医療提供者は、異なる型式の圧力変換器に関して好みを展開してきた。特定の圧力変換器の使用の容易さ、価格又は別の要因が、圧力変換器の製造者に依るとしても、個別の医療提供者は、処理を実施する際に、特定の銘柄又は型式の圧力変換器を使用することを望みうる。異なる医療提供者が共通の医療処置空間又は共通の医療機器を共有する場合において、もし空間及び／又は機器が、異なる要員により使用されうる、異なる型式の圧力変換器に対応可能であれば、それは有用であろう。
【００２０】
本開示に記載された技術に従って、圧力変換器取付装置が記載されており、圧力変換器取付装置は、複数の異なる型式の圧力変換器の中のいずれかの選択されたものを収容して保持してもよく、その場合に、異なる型式の圧力変換器は、異なる寸法、形状及び／又は圧力変換器取付装置に接続するための異なる接続形態を有する。例えば、圧力変換器取付装置は、圧力変換器保持器を具備してもよく、圧力変換器保持器は、一方向（例えば、開又は閉）に拡張して複数の異なる型式の圧力変換器のいずれか１つを収容し、反対方向（例えば、閉又は開）に付勢して圧力変換器保持器内に挿入された、特定の変換器を保持する。別の例として、圧力変換器取付装置は、異なる接続形態を有する、異なる型式の圧力変換器を収容し且つ保持するように各々設計される、２つの異なる圧力変換器保持器を具備しうる。圧力変換器取付装置は、異なる医療提供者の好みに適応できる、万能型取付装置を提供するように、異なる圧力変換器を収容しうる。
【００２１】
例示の圧力変換器及び圧力変換器取付装置は、図２−８を参照して、より詳細に以下で説明される。しかし、動力式造影注入システム及び圧力変換器を具備する、例示的なシステムは先ず、図１を参照して以下で説明される。
【００２２】
図１は、本明細書に記載されるように、圧力変換器と圧力変換器取付装置と共に使用されうる、例示的な動力式注入システム１０の斜視図である。注入システム１０は、主制御盤２０と、注入ヘッド３０と、電力供給源（図示せず）と、を有する、デュアルシリンジ注入システム(dual-syringe injector system)を具備する。電力供給源は、注入ヘッド３０を駆動しうる。医療用流体の第１容器６０は、注入ヘッド３０に取り付けられており、医療用流体の第２容器４０もまた注入ヘッド３０に取り付けられる。幾つかの例において、第１容器６０は、造影剤の容器を具備しており、第２容器４０は、例えば、生理食塩水等の滅菌希釈剤のバッグを具備する。
【００２３】
注入システム１０の例において、注入ヘッド３０は、種々の副構成要素を具備する。例えば、注入ヘッド３０は、小型制御盤５０と、第１及び第２の注射器／プランジャアセンブリ８０Ａ及び８０Ｂと、第１及び第２の弁／空気検出アセンブリ７０Ａ及び７０Ｂと、アセンブリ１１０と、を具備する。第１及び第２の注射器／プランジャアセンブリ８０Ａ及び８０Ｂはそれぞれ、注射器を介して軸方向に移動可能なプランジャと注射器とを収容する、注射器室を具備する。アセンブリ１１０は、第１及び第２の注射器／プランジャアセンブリ８０Ａ及び８０Ｂの吐出端部に配置されており、システムの様々な副構成要素を収容しうる。
【００２４】
動作中に、注入システム１０は、プランジャを作動させることにより、管９０Ａを経由して、第１容器６０から第１注射器／プランジャアセンブリ８０Ａ内に流体を吸引して、第１注射器内に部分的な真空を生成可能である（即ち、プランジャを注入ヘッド３０内に引き戻すことにより）。注入システム１０はまた、第２プランジャを作動させることにより、管９０Ｂを経由して、第２容器４０から第２の注射器／プランジャアセンブリ８０Ｂ内に流体を吸引して、第２注射器内に部分的な真空を生成可能である。プランジャの進行方向を逆転することにより、注入システム１０は、注入システム１０の第１注射器及び／又は第２注射器から外に、それぞれ、管１００Ａ及び１００Ｂを介して流体を、患者の体内に実質的に吐出可能である。幾つかの例において、管１００Ａ及び１００Ｂは、患者の身体内に延びる、（例えば、三方弁を介して）患者ラインに結合される。注入システム１０は、例えば、作動させるプランジャを選定すること及び注射器を介してプランジャが移動する、速度を制御すること等により、患者に供給される流体の速度、体積及び供給源を制御可能である。
【００２５】
幾つかの注入処理の間に患者の血行力学的圧力を監視することは、有用となりうる。例えば、血管造影中に、医療提供者は、高圧造影剤の注入の間における患者の血管内圧力及び心臓内圧力を記録しうる。医療提供者は、患者の血行力学的健康状態を確認するために、−6.9kPa(−１psi(−51.7mmHg))〜＋41.3kPa(６psi (310mmHg))の一般的な範囲内に収まる、圧力値を探しうる。
【００２６】
これらの例において、患者の血行力学的圧力を監視するために、注入システム１０は、患者に流体的に接続する、圧力変換器を具備しうる。図１の例において、注入システム１０は、圧力変換器取付装置１５２を介して注入ヘッド３０のハウジングに取り付けられる、圧力変換器１５０を具備する。圧力変換器１５０は、患者内に伸長する患者ラインに流体及び／又は圧力連絡しうる（図１に示されない）。患者ライン（例えば、カテーテル）が患者内の所定の位置にある動作中に、圧力変換器１５０は、患者ラインから圧力センサに延びてそれにより患者の血行力学的データを注入システム１０に提供する、流体の柱を介して患者の血行力学的圧力を監視しうる。以下でより詳細に説明するように、圧力変換器取付装置１５２は、医療提供者が注入システム１０の動作中に、種々の異なる種類の圧力変換器及び／又は適切に配向する圧力変換器１５０を使用することを可能にしうる。
【００２７】
図２及び図３は、注入システム１０（図１）において使用されうる、例示的な圧力変換器取付装置２２０（本明細書において、やはり「装置２２０」と呼ぶ）の異なる図である。図２は、圧力変換器が装置に取り付けられない状態の、装置２２０を示す。図３は、例示の例において、第１圧力変換器２２２Ａと第２の圧力変換器２２２Ｂ（集合的には、「圧力変換器２２２」）である、２つの圧力変換器として示されていて且つ装置に取り付けられる、少なくとも１つの圧力変換器を有する、装置２２０を示す。装置２２０は、支持部材２２４と、圧力変換器保持器２２６と、延長シャフト２２８と、を具備する。圧力変換器保持器２２６は、延長シャフト２２８を介して支持部材２２４に接続される。支持部材２２４は、患者の体液の圧力を測定するように圧力変換器２２２を配置するために、注入ヘッド３０（図１）のハウジング等の支持体表面に取り付けるように形成される。
【００２８】
更に、図２及び図３の装置２２０は、圧力均等化弁保持器２２５を具備する。使用において、第１圧力変換器２２２Ａ及び第２の圧力変換器２２２Ｂの中の１つ又は両方は、患者の体内からの圧力を身体の外側に位置する圧力変換器へ水圧的に伝える、患者ラインに接続されうる。圧力変換器の初期設定時において、圧力変換器に関連する圧力均等化弁（例えば、止めコック）は、圧力変換器を大気圧に露出するように開放されうる。圧力均等化弁を開くことは、圧力変換器を較正してもよく、及び／又は閉じ込められた空気を除去しうる。装置２２０が、圧力均等化弁保持器２２５を具備する場合に、圧力均等化弁保持器は、圧力均等化弁又は圧力均等化弁に接続する、管の一部を収容し保持するための構造を形成しうる。図２及び図３の例等の、幾つかの例において、圧力均等化弁保持器２２５は、圧力変換器保持器２２６と実質的に同一水平面内に（例えば、図２及び３に示されるＸ−Ｙ平面）及び／又は実質的に同一垂直方向縦位置において（例えば、図２及び３に示されるＺ方向において）位置決めされる。圧力均等化弁保持器２２５を、圧力変換器保持器２２６と実質的に同一水平面内に位置決めすることは、圧力変換器が患者の体液圧力を測定するために実質的に使用される場合に、圧力変換器２２２が同じ流体重量の条件下で較正されることを確保することを支援しうる。別の例において、装置２２０は、圧力均等化弁保持器２２５を具備しない。
【００２９】
より一層詳細に以下に記載されるように、圧力変換器保持器２２６は、複数の異なる種類の圧力変換器を収容し保持するように（例えば、寸法で及び／又は形状で）形成される。複数の異なる種類の圧力変換器は、例えば、２、３、５、１０又はそれより多くの異なる型式の圧力変換器としうる。操作において、使用者は、複数の異なる寸法の圧力変換器から特定の圧力変換器２２２を選択して、更に選択された圧力変換器を圧力変換器保持器２２６に挿入しうる。圧力変換器保持器２２６は、前記保持器に挿入される、選択された圧力変換器２２２を収容して、その後の圧力監視操作の間において圧力変換器を固定しうる。複数の異なる種類の圧力変換器を収容し保持するように圧力変換器保持器２２６を形成することにより、単一の圧力変換器取付装置２２０は、医療処置のために、様々な異なる種類の圧力変換器を搭載するように使用可能である。例えば、圧力変換器取付装置２２０は、各異なる種類の圧力変換器のための異なる圧力変換器取付装置を必要とすることよりむしろ、異なる製造者により供給される、圧力変換器及び／又は単一の製造者により供給される、異なる圧力変換器の型式を搭載するように使用されうる。
【００３０】
幾つかの例において、装置２２０は、複数の異なる寸法の圧力変換器を保持するように形成される、単一の圧力変換器保持器２２６を具備する。別の例において、装置２２０は、それぞれが異なる圧力変換器を保持するように形成される、複数の圧力変換器保持器を具備する。複数の圧力変換器保持器を有する、装置２２０を形成することは、異なる型式の接続形態を有する、異なる型式の圧力変換器に装置が取り付けられることを可能にしうる。例えば、装置２２０は、第１型式の接続形態を有する、圧力変換器に取り付けるように形成された、少なくとも１つの第１圧力変換器保持器と、第１型式の接続形態とは異なる第２の型式の接続形態を有する、圧力変換器に取り付けるように形成された、第２の圧力変換器保持器と、を具備しうる。そのように形成されると、両方の圧力変換器保持器は、異なる型式の取付インターフェイス構造（例えば、異なる寸法及び／又は形状の取付インターフェイス構造）を有する、圧力変換器を収容し、保持するように形成されうる。
【００３１】
図２及び３の例において、装置２２０は、第１圧力変換器保持器２２６Ａ及び第２の圧力変換器保持器２２６Ｂである、２つの圧力変換器保持器を具備する。第１圧力変換器保持器２２６Ａは、第１圧力変換器２２２Ａを収容し、保持するように形成される。第２の圧力変換器保持器２２６Ｂは、第２の圧力変換器２２２Ｂを収容し、保持するように形成される。第１圧力変換器保持器２２６Ａは、延長シャフト２２８の中心を介して伸長する、共通軸の周りで、第２の圧力変換器保持器２２６Ｂから円周方向に離間する。この構成により、第１圧力変換器保持器２２６Ａは、第１平面において（例えば、図３に示されるＸ−Ｚ平面）第１圧力変換器２２２Ａを保持する一方で、第２の圧力変換器保持器２２６Ｂは、第１平面とは異なる、第２の平面において（例えば、図３に示されるＹ−Ｚ平面）第２の圧力変換器２２２Ａを保持する。この型式の位置決めは、装置２２０が、空間について圧力変換器を競合させることなく、２つの異なる圧力変換器を同時に保持することを可能にしうる。しかし、装置２２０が複数の圧力変換器保持器を具備する、別の例において、圧力変換器保持器は、隣に並んで、（例えば、垂直方向又は水平方向に）、互いに対向し、又は任意の別の適切な構成で配置されていてもよく、本開示は、この点に限定されないことが認識されるべきである。
【００３２】
圧力変換器保持器２２６は、圧力変換器２２２を保持する。圧力変換器２２２は、患者の血行力学的圧力（例えば、血圧）を検出するのに適した、任意の装置であり得る。幾つかの例において、圧力変換器２２２は、変換器の一部分に作用する、圧力の関数としての信号を発生するように形成される。その様な例において、変換器は、可撓性の膜を具備してもよく、可撓性の膜は、膜と接触する流体内の圧力変化に応じて動く。変換器はその後、検知された圧力を電気出力信号（例えば、電圧及び／又は電流値）に変換し、更に圧力制御モジュール、表示装置又はコンピュータ可読記憶媒体等に信号を送信しうる。圧力変換器２２２の動作パラメータは変化可能であるが、幾つかの例において、圧力変換器は、約−4.0kPa(約−30mmHg)〜約40kPa(約300mmHg)の範囲の圧力を感知するように性能評価される。
【００３３】
一例において、圧力変換器２２２は、圧電型圧力変換器として実施される。一般的に、圧電型圧力変換器は、圧力検知素子による歪の下に置かれた時に電位を生成する、圧電性結晶を有する。圧力検知素子において圧力量を変化させることは、歪量、ひいては、圧力変換器により発生された電位を変化させる。別の例において、圧力変換器２２２は、再使用可能なセンサ構成要素及び使い捨て可能なドーム（円天井）構成要素を含む、二構成要素の圧力センサとして実施される。再使用可能なセンサ構成要素は、センサと圧力連絡する膜を具備しうるが、その一方で、使い捨て可能な構成要素は、再使用可能なセンサにおける膜と圧力伝達関係で、直面状態で配置可能である、ドーム型膜を具備する。その様な例において、圧力変換器保持器２２６は、再使用可能なセンサ構成要素に取り付けられてもよく、再使用可能なセンサ構成要素は、順に、使い捨て可能なドーム型構成要素に接続する。その様な二構成要素圧力センサの例は、その内容の全てが参考文献として本明細書に組み込まれる、米国特許第5848971号に記載される。
【００３４】
装置２２０が、複数の異なる型式の圧力変換器を同時に保持するように設計される場合に、各圧力変換器は、同じ型式の圧力変換器（例えば、圧電型圧力変換器）としうるが、異なる寸法、形状及び／又は接続形態を有しうるか、又は少なくとも１つの圧力変換器（例えば、第１圧力変換器２２２Ａ）は、少なくとも１つの別の圧力変換器（例えば、第２の圧力変換器２２２Ｂ）とは異なる型式の圧力変換器としうる。一例において、第１圧力変換器２２２Ａは、圧電型圧力変換器であり、第２の圧力変換器２２２Ｂは、再使用可能なセンサ構成要素と使い捨て可能な構成要素とを含む、二構成要素圧力センサである。装置２２０を少なくとも２つの異なる型式の圧力センサを収容するか又は少なくとも収容可能に形成することは、使用者が装置２２０に取り付けるように選択可能である、センサの種類を増加するのに有用となりうる。
【００３５】
圧力変換器保持器２２６は、支持部材２２４に接続される。具体的には、図２及び図３の例において、圧力変換器保持器２２６は、延長シャフト２２８を介して支持部材２２４に接続される。幾つかの例において、圧力変換器保持器２２６は、構成要素が互いに対して可動ではないように、支持部材２２４に固定するように接続される。別の例において、圧力変換器保持器２２６は、支持部材２２４に可動に接続される。圧力変換器保持器２２６が支持部材２２４に可動に接続される時に、使用者は、支持部材２２４に対して複数の異なる位置の中の１つに圧力変換器を動かしてもよく、更に使用者の所望の位置に圧力変換器を固定しうる。
【００３６】
図２及び３の例において、圧力変換器保持器２２６は、複数の異なる垂直方向に上昇した位置の中の１つまで垂直方向に（例えば、図２及び３に示されるＺ方向において）移動するように形成される。延長シャフト２２８は、固定機構２３０により、特定の垂直方向に上昇した位置に解放可能に固定される。動作において、使用者は、固定機構２３０を解放することができ、延長シャフト２２８を上又は下に滑らせて、圧力変換器保持器２２６の垂直位置を調整し、その後、圧力変換器保持器が選択された垂直位置に保持されるように、固定機構２３０の固定を再係合可能である。
【００３７】
圧力変換器保持器２２６が支持部材２２４に対して垂直方向に可動であるように、装置２２０を形成することは、例えば、医療処置中に、患者の血行力学的圧力を正確に測定することを支援するために、有用となりうる。例えば、医療処置中に患者の動脈内の血圧を監視するために圧力変換器２２２を使用する場合において、患者の心臓と同じ又は実質的に同じ垂直方向の上昇位置に配置された時に、圧力変換器２２２は、より正確な圧力の測定値を提供しうる。軸方向中央位置(midaxial position)と呼んでもよい、この位置は、医療処置を受けている特定の個人の大きさに基づいて変化しうる。もし圧力変換器２２２が、患者の心臓を含む水平面に比べて、より高いか又はより低い位置にある場合には、圧力変換器を患者の身体に水圧的に接続する、流体の柱の重量は、圧力変換器が患者の心臓と同一水平面にある時に比べて増大又は減少しうる。流体重量のこの変化は、圧力変換器２２２により実施される、圧力測定の精度に影響を与えうる。しかし、圧力変換器保持器２２６が支持部材２２４に対して垂直方向に可動であるように装置２２０を形成することにより、使用者は、例えば、医療処置の開始時において、圧力変換器２２２の垂直方向の高さを調整可能であり、従って、圧力変換器は、医療処置を受けている患者の心臓と同一又は実質的に同一水平面内に存在する。
【００３８】
装置２２０が固定機構２３０を具備する場合に、固定機構は、選択された垂直位置に圧力変換器保持器２２６を解放可能に固定する、任意の形態としうる。図２及び３の例において、固定機構は、ピボット部２３２回りで支持部材２２４に回動可能に接続する、梁である。梁は、支持部材２２４を介して伸長する開口と整列する、開口を具備する。固定機構２３０が解放されると、延長シャフト２３０の遠位部分が両方の開口部を介して自由に滑動可能であるように（例えば、シャフトの一部が、梁及び支持部材の一方の側部に位置し、シャフトの別の部分が梁及び支持部材の反対側に配置される状態で）、梁の開口は、支持部材２２４を介して伸長する、開口と同軸で整列する。固定機構２３０を係合させることは、ピボット部２３２の一方の側の梁の一部を、支持部材２２４から離れるように付勢させて、梁を介して伸長する開口を、支持部材２２４を介して伸長する開口との同軸の整列状態から外れるように移動させる。順に、このことは、梁の一部によって、例えば、梁を介して延びる開口を形成する、壁に対して、延長シャフト２２８を締め付けさせうる。
【００３９】
装置２２０の例において、延長シャフト２２８は、垂直方向高さの印２２９を具備する。垂直方向高さの印２２９は、圧力変換器保持器２２６と支持部材２２４との間の高さを指示する、図形又は文字列としうる。垂直方向高さの印２２９は、使用者が、圧力変換器保持器２２６の支持部材２２４に対する垂直方向の位置を、所望の位置に素早く調整することを可能にする、参考を提供しうる。別の例において、延長シャフト２２８は、垂直方向高さの印２２９を具備しない。更に、異なる例において、延長シャフト２２８は、支持部材２２４から完全に取り外し可能であってもよく、あるいは取り外し可能でなくてもよい。用途に応じて、使用者が延長シャフト２２８を支持部材２２４から完全に取り外すことを可能にすることは、圧力変換器保持器２２６に配置された、機構又は機器へのアクセスを提供するために有益となりうる。
【００４０】
圧力変換器取付装置２２０を使用するために、装置は、支持部材２２４を介して支持面に搭載されてもよく、その後、圧力変換器２２２は、圧力変換器保持器２２６に挿入されうる。支持部材は、圧力変換器保持器が支持面から離間するように、圧力変換器保持器２２６を支持面に取り付け可能である、任意の構造としうる。幾つかの例において、支持部材２２４は、装置２２０の使用中における変形に対して抵抗性のある、剛性材料、例えば、金属又は剛性熱可塑性樹脂等、により形成される。更に、支持部材２２４は、図１に関して説明したような動力式注入装置に取り付けられてもよいが、別の例において、支持部材は、例えば、患者のベッドレール、処置室の壁又は可動カート等のような、異なる支持面に取り付けられてもよい。支持部材２２４は、例えば、ボルト、ネジ、接着剤、溶接等を含む、任意の適切な機械的固定要素を用いて、支持面に取り付け可能である。
【００４１】
簡略に上述したように、装置２２０の第１の圧力変換器保持器２２６Ａは、複数の異なる寸法の圧力変換器を収容し、保持するように形成される。例えば、第１圧力変換器保持器２２６Ａは、複数の異なる圧力変換器の中の１つを収容するために拡張して開いてもよく、更に保持器内に挿入された、選択された圧力変換器を保持するために付勢して閉じてもよい（例えば、保持器が拡張されて開いている間）。複数の異なる圧力変換器の各々は、異なる寸法、形状及び／又は接続形態を有しうる。
【００４２】
図４及び５は、第１圧力変換器保持器２２６Ａの形態例を示す、それぞれ、前と後からの展開図である。この例において、第１圧力変換器保持器２２６は、第１アーム２４０Ａと、ピボット部２４１回りで回動するように接続する、第２アーム２４０Ｂと、を具備する。第１アーム２４０Ａと第２アーム２４０Ｂは、拡張して開いて複数の異なる寸法の圧力変換器を収容可能である、拡張可能な前面（図４）を形成するように互いに向かって付勢される。第１圧力変換器を第１圧力変換器保持器２２６Ａに挿入するために、使用者は、第１アーム２４０Ａの後部を第２アーム２４０Ｂの後部に向かって押圧しうる（図５）。この操作は、第１アーム２４０Ａの前部を、第２アーム２４０Ｂの前部から離れるように回動させて（図４）、仕切り線２４２において２つのアーム間に開口を生成しうる。第１圧力変換器２２２Ａを、第１アーム２４０Ａと第２アーム２４０Ｂとの間の開口に挿入した後に、使用者は、２つのアームの後部を離すことができる。部材２４４を付勢することは、第１アーム２４０Ａの前部を第２アーム２４０Ｂの前部に向かって付勢して、２つのアーム間の開口を閉じてもよい。第１圧力変換器２２２Ａが、第１圧力変換器保持器２２６Ａに挿入された状態で、付勢して閉じられる時に、第１アーム２４０Ａと第２アーム２４０Ｂは、圧力変換器が２つのアームの間に保持されるように、圧力変換器の対向する側部に各々接触しうる。
【００４３】
第１圧力変換器保持器２２６Ａの第１アーム２４０Ａと第２アーム２４０Ｂとの間に第１圧力変換器２２２Ａを保持することを支援するために、圧力変換器保持器は、圧力変換器と係合するための追加の係合面を具備しうる。図４の例において、第１圧力変換器保持器２２６Ａは、第１アーム２４０Ａから延びる、第１圧力変換器係合面２４４Ａと、第２アーム２４０Ｂから延びる、第２圧力変換器係合面２４４Ｂと、を具備する。第１圧力変換器係合面２４４Ａ及び第２圧力変換器係合面２４４Ｂは、第１圧力変換器２２２Ａの対向する側部に係合可能である、少なくとも一対の対向する溝を形成する。例えば、第１圧力変換器係合面２４４Ａ及び第２圧力変換器係合面２４４Ｂは各々、第１圧力変換器２２２Ａの縁部が挿入可能な、直角の溝を形成しうる。
【００４４】
図４の例において、第１圧力変換器係合面２４４Ａ及び第２圧力変換器係合面２４４Ｂは、二対の対向する溝、即ち、第１対の対向する溝２４６及び第２対の対向する溝２４８、を形成する。第１対の対向する溝２４６は、互いから第１距離で離間する一方で、第２対の対向する溝２４８は、第１距離より短い、第２距離で互いから離間する。幾つかの例において、第１アーム２４０Ａ及び第２アーム２４０Ｂが、アーム間に挿入される、圧力変換器なしで、付勢されて閉じる時に、第１距離は、約12.7mm （約0.5インチ）から約31.75mm（約1.25インチ）までの範囲である。その様な例において、第１アーム２４０Ａ及び第２アーム２４０Ｂが、アーム間に挿入される、圧力変換器なしで、付勢されて閉じる時に、第２距離は、約31.75mm（約1.25インチ）から約50.8mm（約2インチ）までの範囲であってもよい。第１圧力変換器保持器２２６Ａの設計に応じて、第１アーム２４０Ａ及び第２アーム２４０Ｂが、例えば、少なくとも10％、少なくとも25％又は約5％から約35％等で、拡張されて開く場合に、第１距離範囲及び第２距離範囲は各々、少なくとも5％で増加しうる。第１アーム２４０Ａ及び第２アーム２４０Ｂの間の拡張範囲を増加することは、第１圧力変換器保持器２２６Ａにより収容可能な、異なる寸法の圧力変換器の数を増加させてもよい。
【００４５】
図６は、第１圧力変換器保持器２２６Ａにより収容され、保持されうる、例示の第１圧力変換器２２２Ａの図である。この例示の第１圧力変換器２２２Ａは、概略平坦な裏当板２５２に搭載された、圧電型圧力センサ素子２５０を具備する。圧電型圧力センサ素子２５０は、患者の体内に導入されたカテーテルを介して、患者の循環系に水圧的に結合可能である。裏当板２５２は、例えば、裏当板の第１縁部２５４が、第１圧力変換器係合面２４４Ａにより形成された、溝内にあり、更に裏当板の第２縁部２５６が、第２圧力変換器係合面２４４Ｂにより形成された、溝内にあるように、第１圧力変換器保持器２２６Ａに挿入可能である。例示の図６の裏当板２５０は、概略平坦である（例えば、板の厚さと概略等しい幅を有する、単一の平面内に存在する）が、別の例において、裏当板２５０は平坦ではなくてもよい。更に、裏当板２５０は、矩形であるように図示される一方で、裏当板２５０は、任意の多角形（例えば、正方形、六角形）又は孤形（例えば、円形、楕円形）形状、又は多角形と弧形状との組み合わせでさえも形成可能である。裏当板２５０の特定の形状は、例えば、圧力変換器の型式又は特定の製造者に基づいて変化しうる。従って、圧力変換器取付装置２２０の圧力変換器保持器２２６は、複数の異なる寸法の圧力変換器を収容可能であるように一般的に説明したが、圧力変換器保持器２２６はまた、各圧力変換器の特定の寸法とは独立して、複数の異なる形状の圧力変換器を収容しうる。
【００４６】
簡略に上述したように、圧力変換器取付装置２２０は、第２圧力変換器保持器２２６Ｂを具備する。図５は、第２圧力変換器保持器２２６Ｂの形態例の側面図であり、図７は、それの正面図である。第２圧力変換器保持器２２６Ｂは、第２圧力変換器２２２Ｂの下唇部を収容するように形成された、溝２５８を形成する。第２圧力変換器保持器２２６Ｂはまた、第２圧力変換器２２２Ｂの上唇部に係合するように回転可能である、固定部材２５２を具備する。動作において、使用者は、溝２５８内に第２圧力変換器２２２Ｂの下唇部を挿入してもよく、その後、圧力変換器が、溝２５８と固定部材２５２との間に保持されるように、圧力変換器の上唇部に係合するように、固定部材２５２を回転しうる。この方法において、第２圧力変換器２２２Ｂは、第２圧力変換器保持器２２６Ｂにより収容し、保持されうる。
【００４７】
図８は、第２圧力変換器保持器２２６Ｂに挿入されうる、上唇部と下唇部とを具備する、例示の第２圧力変換器２２２Ｂの図である。特別には、図８は、使い捨て可能な構成要素（ここでは図示される）との組み合わせにおいて、第２圧力変換器２２２Ｂを形成する、二部品の圧力変換器の例示の再使用可能な構成要素２６２の後側の図である。この例において、再使用可能な構成要素２６２は、構成要素の背面２６３から突き出る、取付突部を形成する。取付突部は、下唇部２６４と上唇部２６６を形成する。動作において、使用者は、溝２５８内に下唇部２６４を挿入してもよく、その後上唇部２６６上で固定部材２５２を回転して、溝と第２圧力変換器２２６Ｂの固定部材との間に再使用可能な構成要素を保持しうる。
【００４８】
再使用可能な構成要素２６２の背面２６３が第２圧力変換器保持器２２６Ｂにより収容され、保持される状態で、１つ以上の使い捨て可能な構成要素は、第２圧力変換器２２２Ｂを提供するように、再使用可能な構成要素の前面に取り付けられてもよい。幾つかの例において、再使用可能な構成要素２６２の前面は、単一の圧力変換器を提供するように、単一の使い捨て可能な構成要素だけに取り付けられるように設計される。別の例において、再使用可能な構成要素２６２の前面は、例えば、異なる圧力又は異なる体液の圧力を測定するために、複数の圧力変換器を提供するように、複数の（例えば、2つ、3つ、4つ、又はそれ以上）使い捨て可能な構成要素に取り付けられるように設計される。何れにせよ、第２圧力変換器保持器２２６Ｂが二部品の圧力変換器を収容し保持するように設計される場合に、圧力変換器保持器は、圧力変換器の１つの部分を単に直接的に収容し保持しうるが、その一方で、圧力変換器の第２部分は、第２圧力変換器保持器２２６Ｂにより既に保持される、前記部分にその後接続する。従って、装置２２０の圧力変換器保持器が、圧力変換器を収容し保持するように形成されるように、本明細書において記載されるが、圧力変換器保持器は、圧力変換器の全体を収容し保持する必要はなく、その代わりに、圧力変換器の一部のみ又は一部分を収容し保持しうる。
【００４９】
圧力変換器取付装置２２０は、当業者によって理解されるように、上述のものに加えて又はその代わりに、異なる形態を有することができ、及び／又は別の型式の機器に対して使用可能である。例えば、一例において、圧力変換器取付装置２２０は、医療提供者が圧力変換器保持器２２６を所望の垂直方向の上昇位置に設定することを支援するために、レーザレベリング装置を収容するように設計される。レーザレベリング装置は、レーザレベリング装置が圧力変換器保持器２２６と同一又は実質的に同一水平面内にあるように、装置２２０に取り付けられてもよい。ドットレーザが、例えば、患者の軸方向中央位置等の、患者の所望の解剖学的目標物において指示されるまで、患者を指示するドットレーザにより、医療提供者は、圧力変換器保持器２２６を支持部材２２４に対して上又は下に移動可能である。このように、医療提供者は、レーザレベリング装置を使用して圧力変換器保持器２２６、及び従って、圧力変換器保持器に挿入された圧力変換器の垂直方向位置を設定可能である。
【００５０】
図９は、圧力変換器取付装置２２０と共に使用しうる、例のレーザレベリング装置３００の図である。レーザレベリング装置３００は、レーザエミッタ３０２と、泡水準器３０４と、接続部３０６と、を具備する。レーザエミッタ３０２は、レーザポインタドットを形成するように、患者に向けることが出来る、光を発する。泡水準器３０４は、例えば、装置２２０にレーザレベリング装置３００を取り付ける時に、レーザエミッタ３０２の水準を決めるための水準表示を提供する。例えば、装置２２０にレーザレベリング装置３００を取り付けた後に、使用者は、エミッタが水平になる（例えば、光を地面に平行に向けること）まで、レーザエミッタ３０２を調整するように、泡水準器３０４を参照しうる。
【００５１】
接続部３０６は、装置２２０にレーザレベリング装置３００を接続するように使用可能である。幾つかの例において、接続部３０６は、第１圧力変換器保持器２２６Ａ及び／又は第２圧力変換器保持器２２６Ｂにより収容され、保持される、第１圧力変換器２２２Ａ及び／又は第２圧力変換器２２２Ｂの一部と同じ寸法、形状及び／又は様式を有する。例えば、接続部３０６は、下唇部２６４及び上唇部２６６を形成する、第１圧力変換器２２２Ａの裏当板２５２（図６）及び／又は第２圧力変換器２２２Ｂの取付突起（図８）と同じ寸法及び／又は形状を形成しうる。その様に形成される場合に、レーザレベリング装置３００の接続部３０６は、第１圧力変換器保持器２２６Ａ及び／又は第２圧力変換器保持器２２６Ｂに挿入可能で且つそれらにより保持可能である。図１０は、第１圧力変換器保持器２２６Ａを介して、圧力変換器取付装置２２０に接続する、レーザレベリング装置３００の一例を示す図である。
【００５２】
様々な例が記載されてきた。これら及び別の例は、以下の特許請求の範囲の範囲内にある。
【図１】
2015521279.tif 000003
【図２】
2015521279.tif 000004
【図３】
2015521279.tif 000005
【図４】
2015521279.tif 000006
【図５】
2015521279.tif 000007
【図６】
2015521279.tif 000008
【図７】
2015521279.tif 000009
【図８】
2015521279.tif 000010
【図９】
2015521279.tif 000011
【図１０】
2015521279.tif 000012
【手続補正書】
【提出日】平成25年10月21日(2013.10.21)
【手続補正１】
【補正対象書類名】特許請求の範囲
【補正対象項目名】全文
【補正方法】変更
【補正の内容】
【特許請求の範囲】
【請求項１】
圧力変換器取付装置において、
支持面に取り付けられるように形成された、支持部材と、
前記支持部材に可動に接続する、圧力変換器保持器と、を具備する、圧力変換器取付装置において、
前記圧力変換器保持器は、ピボット部回りで回動可能に接続されている第１アームと第２アームとを具備しており、前記第１アームの前部は、複数の異なる寸法の圧力変換器の中の１つの圧力変換器を収容するために拡張して開くように、前記第２アームの前部から離れるように回動するように形成され、前記第１アームの前記前部は、収容された前記１つの圧力変換器を保持するように、前記第２アームの前記前部に向けて回動するように付勢され、
前記圧力変換器保持器は、前記支持部材に対して、複数の異なる垂直方向の上昇位置の中の１つまで移動するように形成される、ことを特徴とする圧力変換器取付装置。
【請求項２】
前記支持面は、動力式注入装置のハウジングである、ことを特徴とする請求項１に記載の圧力変換器取付装置。
【請求項３】
前記圧力変換器保持器は、前記第１アームから伸長する、第１圧力変換器係合面と、前記第２アームから伸長する、第２圧力変換器係合面と、を更に具備しており、
前記第１圧力変換器係合面と前記第２圧力変換器係合面は、前記複数の異なる寸法の圧力変換器の中の前記収容された１つの、対向する側部に係合するように形成された、対向する溝を形成する、ことを特徴とする請求項１に記載の圧力変換器取付装置。
【請求項４】
前記第１圧力変換器係合面と前記第２圧力変換器係合面は、互いから第１距離で離間する、第１対の対向する溝と、互いから第２距離で離間する、第２対の対向する溝と、を形成しており、
より大きな圧力変換器が、前記第２対の対向する溝よりも前記第１対の対向する溝の間で係合可能であるように、前記第１距離は、前記第２距離より大きい、ことを特徴とする請求項３に記載の圧力変換器取付装置。
【請求項５】
前記第１距離は、約12.7mm(約0.5インチ)〜約31.75mm(約1.25インチ)の範囲にあり、前記第２距離は、約31.75mm(約1.25インチ)〜約50.8mm(約2インチ)の範囲にある、ことを特徴とする請求項４に記載の圧力変換器取付装置。
【請求項６】
前記圧力変換器保持器は、第１圧力変換器保持器を具備しており、更に共通軸の周りで前記第１圧力変換器保持器から円周方向に離間する、第２圧力変換器保持器を更に具備しており、
前記共通軸には、前記第１圧力変換器保持器と前記第２圧力変換器保持器の両方が取り付けられる、ことを特徴とする請求項１に記載の圧力変換器取付装置。
【請求項７】
前記第１圧力変換器保持器は、第１平面において第１圧力変換器を保持するように形成されており、
前記第２圧力変換器保持器は、前記第１平面とは異なる、第２平面において第２圧力変換器を保持するように形成される、ことを特徴とする請求項６に記載の圧力変換器取付装置。
【請求項８】
前記第２圧力変換器保持器は、圧力変換器の下唇部を収容するように形成される、溝と、前記圧力変換器の上唇部に係合するように形成される、固定部材と、を形成して、前記溝と前記固定部材との間に前記圧力変換器を固定する、ことを特徴とする請求項６に記載の圧力変換器取付装置。
【請求項９】
前記圧力変換器保持器は、延長シャフトを具備しており、
前記支持部材は、開口を具備しており、
前記圧力変換器保持器は、前記延長シャフトの遠位部分を、前記開口を介して挿入し更に前記開口を形成する壁に対して前記延長シャフトを締め付けることにより、前記支持部材に可動に接続する、ことを特徴とする請求項１に記載の圧力変換器取付装置。
【請求項１０】
前記圧力変換器保持器に接続する、圧力均等化弁保持器を更に具備するので、前記圧力均等化弁保持器は、前記圧力変換器保持器と実質的に同一水平面内に配置されており、
前記圧力均等化弁保持器は、前記圧力変換器を較正するための弁であって、複数の異なる寸法の圧力変換器の中の前記収容された１つと流体連絡する、弁を収容するように形成される、ことを特徴とする請求項１に記載の圧力変換器取付装置。
【請求項１１】
前記圧力変換器保持器を介して接続する、レーザレベリング装置を更に具備する、ことを特徴とする請求項１に記載の圧力変換器取付装置。
【請求項１２】
電力源により駆動されるように形成された、注射器と、前記注射器と流体連絡する、少なくとも１つの流体容器と、前記少なくとも１つの流体容器から患者ラインに流体を供給するように形成された、配管システムと、を具備する、動力式注入装置と、
患者の身体の血行力学的圧力を監視するように形成された、選択された圧力変換器であって、前記動力式注入装置の動作中に前記患者と流体連絡するように形成される、選択された圧力変換器と、
前記動力式注入装置に取り付けられる、支持部材と、前記支持部材に可動に接続する、圧力変換器保持器と、を具備する、圧力変換器取付装置と、を具備する、システムにおいて、
前記圧力変換器保持器は、ピボット部回りで回動可能に接続されている第１アームと第２アームとを具備しており、前記第１アームの前部は、複数の異なる寸法の圧力変換器の中の１つの圧力変換器を収容するために拡張して開くように、前記第２アームの前部から離れるように回動するように形成され、前記第１アームの前記前部は、収容された前記１つの圧力変換器を保持するように、前記第２アームの前記前部に向けて回動するように付勢され、
前記圧力変換器保持器は、前記支持部材に対して、複数の異なる垂直方向の上昇位置の中の１つまで移動するように形成される、ことを特徴とするシステム。
【請求項１３】
前記圧力変換器保持器は、前記第１アームから伸長する、第１圧力変換器係合面と、前記第２アームから伸長する、第２圧力変換器係合面と、を更に具備しており、
前記第１圧力変換器係合面と前記第２圧力変換器係合面は、前記選択された圧力変換器の対向する側部に係合するように形成された、対向する溝を形成する、ことを特徴とする請求項１２に記載のシステム。
【請求項１４】
前記第１圧力変換器係合面と前記第２圧力変換器係合面は、互いから第１距離で離間する、第１対の対向する溝と、互いから第２距離で離間する、第２対の対向する溝と、を形成しており、
より大きな圧力変換器が、前記第２対の対向する溝よりも前記第１対の対向する溝の間で係合可能であるように、前記第１距離は、前記第２距離より大きい、ことを特徴とする請求項１３に記載のシステム。
【請求項１５】
前記圧力変換器保持器は、第１圧力変換器保持器を具備しており、更に共通軸の周りで、前記第１圧力変換器保持器から円周方向に離間する、第２圧力変換器保持器を更に具備しており、
前記共通軸には、前記第１圧力変換器保持器と前記第２圧力変換器保持器の両方が取り付けられる、ことを特徴とする請求項１２に記載のシステム。
【請求項１６】
前記第２圧力変換器保持器は、圧力変換器の下唇部を収容するように形成される、溝と、前記圧力変換器の上唇部に係合するように形成される、固定部材と、を形成して、前記溝と前記固定部材との間に前記圧力変換器を固定する、ことを特徴とする請求項１５に記載のシステム。
【請求項１７】
前記圧力変換器保持器は、延長シャフトを具備しており、
前記支持部材は、開口を具備しており、
前記圧力変換器保持器は、前記延長シャフトの遠位部分を、前記開口を介して挿入し更に前記開口を形成する壁に対して前記延長シャフトを締め付けることにより、前記支持部材に可動に接続する、ことを特徴とする請求項１２に記載のシステム。
【請求項１８】
複数の異なる寸法の圧力変換器の中の１つの圧力変換器の第１アームの前部を前記１つの圧力変換器の第２アームの前部から離れるように回動させ、かつ前記１つの圧力変換器を保持するように前記第１アームの前記前部を前記第２アームの前記前部に向けて回動するように付勢することによって、前記１つの圧力変換器を収容するために、支持部材に可動に接続する、圧力変換器取付装置の圧力変換器保持器を、複数の異なる寸法の圧力変換器の中の１つを収容するように拡張して開く段階を具備する方法において、
前記圧力変換器保持器は、前記支持部材に対して、複数の異なる垂直方向の上昇位置の中の１つまで移動するように形成される、ことを特徴とする方法。
【請求項１９】
前記支持部材を支持面に取り付ける段階を更に具備する、ことを特徴とする請求項１８に記載の方法。
【請求項２０】
前記圧力変換器保持器は、前記第１アームから伸長する、第１圧力変換器係合面と、前記第２アームから伸長する、第２圧力変換器係合面と、を更に具備しており、
前記第１圧力変換器係合面と前記第２圧力変換器係合面は、前記複数の異なる寸法の圧力変換器の中の前記収容された１つの、対向する側部に係合するように形成された、対向する溝を形成する、ことを特徴とする請求項１８に記載の方法。
【請求項２１】
前記第１圧力変換器係合面と前記第２圧力変換器係合面は、互いから第１距離で離間する、第１対の対向する溝と、互いから第２距離で離間する、第２対の対向する溝と、を形成しており、
より大きな圧力変換器が、前記第２対の対向する溝よりも前記第１対の対向する溝の間で係合可能であるように、前記第１距離は、前記第２距離より大きい、ことを特徴とする請求項２０に記載の方法。
【請求項２２】
前記圧力変換器保持器は、第１圧力変換器保持器を具備しており、更に共通軸の周りで前記第１圧力変換器保持器から円周方向に離間する、第２圧力変換器保持器を更に具備しており、
前記共通軸には、前記第１圧力変換器保持器と前記第２圧力変換器保持器の両方が取り付けられる、ことを特徴とする請求項１８に記載の方法。
【請求項２３】
前記第２圧力変換器保持器は、圧力変換器の下唇部を収容するように形成される、溝と、前記圧力変換器の上唇部に係合するように形成される、固定部材と、を形成して、前記溝と前記固定部材との間に前記圧力変換器を固定する、ことを特徴とする請求項２２に記載の方法。
【請求項２４】
前記圧力変換器保持器は、延長シャフトを具備しており、
前記支持部材は、開口を具備しており、更に、
前記方法は、
前記延長シャフトの遠位部分を前記開口を介して挿入する段階と、
前記開口を形成する壁に対して前記延長シャフトを締め付けて、前記支持部材に前記圧力変換器保持器を可動に接続する段階と、を更に具備する、ことを特徴とする請求項１８に記載の方法。
【請求項２５】
前記方法は、前記複数の段階異なる寸法の圧力変換器の中の前記収容された１つと流体連絡する、弁を、前記圧力変換器保持器に接続する、圧力均等化弁保持器内に挿入する段階を更に具備しており、
前記圧力均等化弁保持器は、前記圧力変換器保持器と実質的に同一水平面内に配置されており、
前記方法は、前記圧力均等化弁保持器が、前記複数の異なる寸法の圧力変換器の中の前記収容された１つを較正するように前記弁を開く、段階を具備することを特徴とする請求項１８に記載の方法。
【請求項２６】
支持面に取り付けるための手段と、
複数の異なる寸法の圧力変換器の中の１つを収容し保持するための手段であって、前記収容し保持するための手段は、前記複数の異なる寸法の圧力変換器の各々を収容し保持するように形成される、手段と、を具備する、圧力変換器取付装置において、
前記収容し保持するための手段は、前記取り付けるための手段に可動に接続しており、
前記収容し保持するための手段は、前記取り付けるための手段に対して、複数の異なる垂直方向の上昇位置の中の１つまで移動するように形成される、ことを特徴とする圧力変換器取付装置。
【請求項２７】
前記収容し保持するための手段は、第１の収容し保持するための手段と、第２の収容し保持するための手段と、を具備しており、
前記第１の収容し保持するための手段は、概略平坦な裏当板に搭載される、第１圧力変換器を収容し保持するように形成されており、
前記第２の収容し保持するための手段は、取付上唇部と取付下唇部とを形成する、取付突起を有する、第２圧力変換器を収容し保持するように形成される、ことを特徴とする請求項２６に記載の圧力変換器取付装置。
【国際調査報告】
2015521279.tif 000013
2015521279.tif 000014